(57)【特許請求の範囲】
【請求項１】
基地局から時刻情報を報知するシステムと、時刻情報を報知しないシステムとの両方を含み、前記基地局のサービスエリア対応の時差情報を該基地局の識別番号と対応して記憶しておき、前記時刻情報を報知する基地局からの報知情報を受信し、該報知情報に含まれる識別番号に対応する前記時差情報を読出し、該時差情報を基に現在時刻の補正処理を行う時計機能を有する携帯電話端末装置を、パワーオン後に前記時刻情報を報知しないシステムに適用するようにモードを選択した時に、一時的に前記時刻情報を報知するシステムの受信モードに切替えて、前記時刻情報を受信し、該時刻情報を基に現在時刻を設定した後、最初の時刻情報を報知しないシステムに適用するモードに切戻す過程を含むことを特徴とする時刻補正方法。
【請求項２】
基地局からの報知情報を受信し、該報知情報に含まれる識別番号を抽出する機能と、時計機能と、時刻情報を報知するシステムと報知しないシステムとの何れかに選択する機能とを有するデュアルモードの携帯電話端末装置に於いて、
前記識別番号と標準時からの時差情報とを対応して格納した時差テーブルと、
現在の設定時刻に対する標準時からの時差情報を保持するレジスタ部と、
パワーオン後に前記時刻情報を報知しないシステムを選択した時、前記時刻情報を報知するシステムの受信モードに切替え、前記時刻情報を受信し、該時刻情報を基に現在時刻を設定した後、前記時刻情報を報知しないシステムに適用するモードに切戻し、且つ該時刻情報を報知しないシステムの受信モードに於いて、新たな受信識別番号に基づいて前記時差テーブルから読出した時差情報と、前記レジスタ部に保持された時差情報とを比較し、その差分を基に前記時計機能の時刻を補正する時刻設定補正手段と
を備えたことを特徴とする携帯電話端末装置。
【発明の詳細な説明】
【０００１】
【発明の属する技術分野】
本発明は、時刻を自動的に補正する時刻補正方法及び時刻補正方法を使用して時刻補正を行う携帯電話端末装置に関する。
携帯電話端末装置は、時計機能を備えて現在時刻の表示を行う構成を有する場合が一般的である。このような携帯電話端末装置の移動範囲が広く、時差を有する地域間を移動した場合、移動先の地域の時刻に補正することが望ましいことになる。その場合の時刻補正を簡単化することが要望されている。
【０００２】
【従来の技術】
携帯電話端末装置は、各種の携帯電話サービスシステムに対応した構成を有するものであり、携帯電話サービスシステムとしては、アナログ方式とディジタル方式とに大別することができる。アナログ方式は、例えば、ＡＭＰＳ（Ａdvanced Ｍobil  Ｐhone  Ｓervice），ＴＡＣＳ（Ｔotal  Ａccess Ｃommunications Ｓystem ）、ＮＴＴ方式等が知られている。又ディジタル方式は、ＴＤＭＡ方式のＰＤＣ（Ｐersonal Ｄigital  Ｃellular ），ＧＳＭ（Ｇrobal Ｓystem for Ｍobile Ｃommunications ）、ＣＤＭＡ（Ｃode Ｄivisio  Ｍultiple Ａccess ）方式のＩＳ−９５（ｃｄｍａＯｎｅ）等が知られている。
【０００３】
又時計機能を内蔵して、表示部に現在時刻を表示する構成が一般的に採用されており、携帯電話端末装置をユーザが最初に使用する時に、その時計機能に現在時刻を設定するものである。又この時計機能を利用して通話時間等の表示を可能とした構成も知られている。又携帯電話サービスシステムの基地局は、報知情報等によりサービスエリア内の携帯電話端末装置に対して基地局の各種の情報を通知している。
【０００４】
【発明が解決しようとする課題】
携帯電話サービスシステムは、広範囲の地域にわたってサービス提供をできるように構成されており、又携帯電話端末装置の移動範囲も拡大している。その場合、出発点からの移動距離が長く、時差を有する地域に到着又は通過することがある。広範囲の大陸として、例えば、米国のニューヨークとシカゴとの間の時差は約１時間である。従って、携帯電話端末装置をニューヨークの時刻に合わせて使用している場合、そのままシカゴに移動すると、シカゴの時刻とは相違することになる。
【０００５】
このように時差を補正しない時刻をそのまま使用している時に、携帯電話端末装置の留守番電話機能により、受信メッセージを受信時刻と共に記録すると、受信時刻は正確な時刻を表していないことになる。或いは、データの送受を時刻と共に記録する場合も、正確な時刻を示さなくなる。そこで、時差が存在する地域に移動した場合に、その都度、携帯電話端末装置の時計機能を修正する入力操作を行う必要があり、時差が存在する地域間を頻繁に移動する場合は時刻補正操作が煩雑となる問題があった。
本発明は、前述の時刻補正を自動化することを目的とする。
【０００６】
【課題を解決するための手段】
本発明の時刻補正方法は、（１）基地局のサービスエリア対応の時差情報を該基地局の識別番号と対応して記憶しておき、基地局からの報知情報を受信し、この報知情報に含まれる識別番号に対応する時差情報を読出し、この時差情報を基に現在時刻の補正処理を行う過程を含むものである。従って、時差が生じる地域に移動した時に、自動的に時刻補正を行うことができる。
【０００７】
又（２）基地局のサービスエリアに於ける標準時からの時差情報を、基地局の識別番号と対応して記憶しておき、基地局からの報知情報を受信し、この報知情報に含まれる識別番号に対応する時差情報を読出し、この時差情報と前回の時刻補正時の時差情報とを比較し、その差分を前回補正した時刻に対して加減算処理して時刻補正を行う過程を含むものである。
【０００８】
又（３）時刻情報を報知するシステムと報知しないシステムとの両方を含み、パワーオン後に時刻情報を報知しないシステムに適用するようにモードを選択した時に、一時的に時刻情報を報知するシステムの受信モードに切替えて、時刻情報を受信し、この時刻情報を基に現在時刻を設定した後、最初の時刻情報を報知しないシステムに適用するモードに切戻す過程を含むことができる。この方法により、最初から現在時刻の自動設定が可能となる。
【０００９】
又本発明の携帯電話端末装置は、（４）基地局からの報知情報を受信し、この報知情報に含まれる識別番号を抽出する機能と時計機能とを有する携帯電話端末装置に於いて、識別番号と標準時からの時差情報とを対応して格納した時差テーブル２Ａと、現在の設定時刻に対する標準時からの時差情報を保持するレジスタ部ＲＧと、新たな受信識別番号に基づいて、時差テーブル２Ａから読出した時差情報と、レジスタ部ＲＧに保持された時差情報とを比較し、その差分を基に時計機能の時刻を補正する時刻補正手段とを備えている。
【００１０】
又（５）基地局からの報知情報を受信し、この報知情報に含まれる識別番号を抽出する機能と、時計機能と、時刻情報を報知するシステムと報知しないシステムとの何れかに選択する機能とを有するデュアルモードの携帯電話端末装置に於いて、識別番号と標準時からの時差情報とを対応して格納した時差テーブル２Ａと、現在の設定時刻に対する標準時からの時差情報を保持するレジスタ部ＲＧと、パワーオン後に前記時刻情報を報知しないシステムを選択した時、時刻情報を報知するシステムの受信モードに切替え、前記時刻情報を受信し、この時刻情報を基に現在時刻を設定した後、時刻情報を報知しないシステムに適用するモードに切戻し、且つ時刻情報を報知しないシステムの受信モードに於いて、新たな受信識別番号に基づいて、時差テーブル２Ａから読出した時差情報と、レジスタ部ＲＧに保持された時差情報とを比較し、その差分を基に前記時計機能の時刻を補正する時刻設定補正手段とを備えている。
【００１１】
【発明の実施の形態】
図１は本発明の実施の形態の携帯電話端末装置の説明図であり、１はプロセッサ（ＣＰＵ）、２はメモリ、２Ａは時差テーブル、３は表示部、４は入力操作部、５はリアルタイムクロック部（ＲＴＣ）、６は音声信号処理部、７はスピーカー、８はマイクロホン、９は無線部、１０はアンテナ、ＲＧはレジスタ部を示す。このレジスタ部ＲＧは、プロセッサ１内に形成した場合を示すが、メモリ２内に形成することもできる。
【００１２】
プロセッサ１は、演算処理機能によって、識別番号の受信抽出手段、時差テーブル２Ａに対するアクセス手段、時計機能としてのリアルタイムクロック部５の時刻補正又は時刻設定手段、デュアルモード構成の場合のモード設定手段等を実現している。又メモリ２は、半導体集積回路メモリ等により構成され、各種のデータやプログラムを格納すると共に、識別番号ＩＤ対応に時差情報を格納した時差テーブル２Ａを形成している。この時差テーブル２Ａから識別番号ＩＤ対応の時差情報を読出してレジスタＲＧにセットし、プロセッサ１による時刻補正手段によって自動的に時刻補正を行うものである。又表示部３は液晶表示パネル等により構成され、プロセッサ１の制御によって時刻や年月日及びダイヤル番号等を表示する。
【００１３】
又入力操作部４は、テンキー構成を有する場合を示すが、他のファンクションキー等を含むものであり、発呼時のダイヤル番号入力や、各種の設定時の入力を行うものである。又音声信号処理部６は、マイクロホン８から入力される音声信号の処理を行い、又受信音声信号をスピーカー７に加えて音声を再生出力するＡＤ変換，ＤＡ変換等の処理機能を備えている。又無線部９は、ＴＤＭＡ方式やＣＤＭＡ方式等に対応した変復調機能等を備えており、通常の携帯電話端末装置と同様に送受信する機能を備えている。或いは、ＴＤＭＡ方式とＣＤＭＡ方式との両方の機能を備えて切替使用するデュアルモードの構成とすることもできる。
【００１４】
識別番号ＩＤは、基地局又はシステムに一意に識別できるように割当てられたもので、報知情報等によってサービスエリア内の携帯電話端末装置に通知される。この識別番号ＩＤと基地局又はシステムとの関係は、例えば、米国に於いては、Ｃｏｍｍｕｎｉｃａｔｉｏｎｓ  Ｐｕｂｌｉｓｈｉｎｇ  Ｓｅｒｖｉｃｅ発行の電話帳（“Ｔｈｅ  Ｃｅｌｌｕｌａｒ  Ｔｅｌｅｐｈｏｎｅ  Ｄｉｒｅｃｔｏｒｙ”）に、米国内各地に於ける携帯電話サービスシステムのシステム識別番号（Ｓystem Ｉdentification ）が、システム毎のサービス範囲を示す地図と共に記載されている。例えば、ロサンゼルス（Ｌos  Ａngels ）のシステムＡのシステム識別番号は０００２７であり、システムＢのシステム識別番号は００００２である。
【００１５】
前述のように、同一の地域に於いて異なる携帯電話サービスシステムが存在する場合も、システムＡ，システムＢとして、それぞれに異なるシステム識別番号が割当てられて、且つ一般に知らされている。従って、システム識別番号によって現在の地域を特定することができる。そして、標準時の地域に対する各地域の時差は予め判っているから、識別番号ＩＤ対応に時差情報を格納して時差テーブル２Ａを構成するものである。
【００１６】
図２は携帯電話サービスシステムの要部説明図であり、例えば、基地局ＢＳ１〜ＢＳ４に対してシステム識別番号ＳＩＤ１〜ＳＩＤ４が割当てられ、基地局ＢＳ１のサービスエリアと基地局ＢＳ４のサービスエリアとの間、及び基地局ＢＳ２のサービスエリアと基地局ＢＳ３のサービスエリアとの間に、鎖線で示す時差の境界線が通っている場合、基地局ＢＳ１のサービスエリアから、基地局ＢＳ４又はＢＳ３のサービスエリアに移動した時に時差が生じるので、移動先のサービス識別番号ＳＩＤ４又はＳＩＤ３を受信判別し、時差テーブル２Ａから時差情報を読出して、現在時刻を補正することができる。
【００１７】
この場合、時差テーブル２Ａに、標準時刻の地域に対するシステム識別番号ＳＩＤ１の時差情報とシステム識別番号ＳＩＤ２の時差情報とが同一の値で格納され、又システム識別番号ＳＩＤ３，ＳＩＤ４の時差情報は同一であるが、システム識別番号ＳＩＤ１の時差情報と異なることになる。
【００１８】
そこで、新たなシステム識別番号を受信識別した時に、時差テーブル２Ａ（図１参照）を検索して、新たなシステム識別番号に対応する時差情報を読出し、レジスタ部ＲＧ（図１参照）にセットされているシステム識別番号に対応する時差情報と比較することにより、時差が生じる地域に移動したか否かを判定することができる。そして、時差が生じる場合は、その時差情報に対応して時刻補正を行うものである。
【００１９】
又時差境界線に対して蛇行するように移動することによって、時刻補正が繰り返し行われる状態の場合は、時刻補正処理を行った時刻をレジスタ等に記憶しておき、前回の時刻補正処理の時刻と今回の時刻補正の時刻とを比較し、所定の時間以内の場合は、時刻補正の待ち合わせを行い、所定時間経過後に、時刻補正の状態か否かを判定し、時刻補正を要する場合に時刻補正処理を行うように制御することも可能である。
【００２０】
図３は本発明の実施の形態のソフトウェアの概要説明図であり、図１と同一符号は同一名称の部分を示し、プロセッサ１のソフトウェアとして、通信タスク（Ａ）、各種ドライバ（Ｂ）、ユーザインタフェースタスク（Ｃ）、モニタ（ＯＳ）（Ｄ）、各種サービス（Ｅ）等を含み、例えば、ＡＭＰＳシステムに於ける報知情報を、無線部９の復調機能によって復調し、その復調信号を、ハードウェアとソフトウェアとの間のインタフェース処理を行う各種ドライバ（Ｂ）を介して通信タスク（Ａ）に処理を渡す。
【００２１】
この通信タスク（Ａ）により、報知情報に含まれるメッセージの解析が行われると共に、識別番号の解析も行われる。この解析結果をモニタ（ＯＳ）に渡すことにより、識別番号を基に前述の時差テーブル２Ａを参照し、時差の有無の判定を行い、時差が生じる場合は、各種の制御等のサービス（Ｅ）を介してリアルタイムクロック部５を制御し、時刻補正を行うものである。又表示部３には、モニタ（ＯＳ）からユーザインタフェースタスク（Ｃ）を介して各種の表示を行わせ、又入力操作部４からの入力データはユーザインタフェースタスク（Ｃ）を介してモニタ（ＯＳ）に転送され、発呼時のダイヤル番号等は、通信タスク（Ａ）に渡すと共に、ユーザインタフェースタスク（Ｃ）を介して表示部３に表示させることになる。
【００２２】
図４はＡＭＰＳシステムに於ける２ワード構成のシステム・パラメータ・オーバヘッド・メッセージの説明図であり、（ａ）は第１ワード、（ｂ）は第２ワードを示し、各フィールドの下部の数字はビット数を示す。各ワードの先頭のＴ1 ，Ｔ2 は２ビット構成のタイプフィールドで、“１１”によりオーバヘッドワードを示す。又ＤＣＣはディジタル・カラー・コード・フィールド、ＳＩＤ１は第１システム識別番号フィールド、ＲＳＶＤは未使用のフィールド、ＮＡＷＣは付加ワード・フィールドである。
【００２３】
又ＯＨＤはオーバヘッド・メッセージ・タイプ・フィールドで、“１１０”は第１ワード、“１１１”は第２ワードを示す。又Ｐはパリティ・フィールド、Ｓはシリアルナンバー・フィールド、Ｅは拡張アドレス・フィールド、ＲＥＧＨはホーム移動機としての登録フィールド、ＲＥＧＲはローミング移動機としての登録フィールド、ＤＴＸは不連続転送フィールド、Ｎ−１はページング・チャネル・フィールド、ＲＣＦは読出制御フィールド、ＣＰＡはページング／アクセス・フィールド、ＣＭＡＸ−１はアクセス・チャネル・フィールド、ＥＮＤはエンド表示フィールドで、“０”は最終ワードでないことを示し、“１”は最終ワードであることを示す。
【００２４】
従って、ＡＭＰＳシステムに於ける携帯電話端末装置は、前述のシステム・パラメータ・オーバヘッド・メッセージを受信して、システム識別番号フィールドＳＩＤ１から抽出したシステム識別番号により、時差テーブル２Ａ（図１参照）を検索して、移動前の地域と現在の地域との時差の有無を判定し、時差有りの場合はプロセッサ１（図示参照）による時刻補正手段によって、時計機能のリアルタイムクロック部５を制御して時刻補正を行うことになる。
【００２５】
図５は本発明の実施の形態の時差テーブルの説明図であり、時差テーブル２Ａの先頭アドレス０番地に、システム識別番号ＳＩＤ００００１に対応するサービスエリアに於ける標準時からの時差情報、１番地にシステム識別番号ＳＩＤ００００２に対応するサービスエリアに於ける標準時からの時差情報、・・・として、例えば、アドレス３２７６６番地にシステム識別番号ＳＩＤ３２７６７に対応するサービスエリアに於ける標準時からの時差情報を格納する。この場合、システム識別番号と共に標準時からの時差情報を格納するか、又はシステム識別番号と時差テーブル２Ａのアドレスとの変換テーブルを設けて、時差テーブル２Ａをアクセスする構成とすることも可能である。
【００２６】
この時差テーブル２Ａは、予め時差情報を書込んだリードオンリメモリ（ＲＯＭ）として構成することも可能であり、又プログラム可能のメモリ（ＥＥＰＲＯＭ）やバックアップ電源を有するランダムアクセスメモリ（ＲＡＭ）に、ユーザが順次書込んで構成することも可能である。又レジスタ部２Ｂに、現在の設定時刻に対する標準時からの時差情報を格納した場合を示す。このレジスタ部２Ｂは、図１のプロセッサ１内のレジスタ部ＲＧと同様に作用する。
【００２７】
図６は本発明の第１の実施の形態のフローチャートであり、パワーオン後、即ち、携帯電話端末装置の電源スイッチをオンとした後、システム捕捉か否かを判定し（Ａ１）、捕捉した時は報知情報を受信し（Ａ２）、携帯電話端末装置として時差補正機能をオンとしてある否かを判定し（Ａ３）、オフ（ＯＦＦ）の場合は待ち受け状態に移行し、又オン（ＯＮ）の場合は、時差テーブル２Ａを検索し（Ａ４）、時差計算を行い（Ａ５）、その計算結果に応じて時刻補正を行う（Ａ６）。
【００２８】
この場合、例えば、レジスタ部２Ｂに格納された現在の設定時刻に対する標準時からの時差情報が＋２の場合に、新たに受信識別したシステム識別番号がＳＩＤ００００２であって、その時差情報を時差テーブル２Ａの１番地から読出した時に＋３であったとすると、前回の時差情報との差が＋１であるから、例えば、時刻が１５時の場合、この時刻に＋１して、現在の時刻を１６時に補正する。この場合の標準時の地域では、１３時を示していることになる。
【００２９】
図７はＣＤＭＡシステムに於けるメッセージ・フォーマットの説明図であり、ＭＳＧ ＴＹＰＥはメッセージタイプ・フィールド、Ｐ ＲＥＶはプロトコル改訂レベル、ＭＩＮ Ｐ ＲＥＶは最小プロトコル改訂レベル、ＳＩＤはシステム識別番号、ＮＩＤはネットワーク識別番号、ＰＩＬＯＴ ＰＮはパイロットＰＮ系列オフセット・インデックス、ＬＣ ＳＴＡＴＥはロングコードステート、ＳＹＳ ＴＩＭＥはシステムタイム、ＬＰ ＳＥＣはシステムタイムの開始以降に発生した閏秒（leap seconds）数、ＬＴＭ ＯＦＦはシステムタイムからのローカル時刻のオフセットタイムを示す。又１ビット構成のＤＡＹＬＴと２ビットのＰＲＡＴとを含み、又最後のＣＤＭＡ ＦＲＥＱは使用周波数を示す。
【００３０】
このＣＤＭＡシステムに於いても、システム識別番号ＳＩＤが通知されるものであり、又システムタイムＳＹＳ ＴＩＭＥは、１９８０年１月６日の０時０分０秒を始点〔ＧＰＳ（Ｇlobal Ｐositioning  Ｓystem ）の開始時刻と一致〕とする８０ｍｓ単位のカウント値を示し、オフセットタイムＬＴＭ ＯＦＦは、３０分を単位とする２の補数で報知するものである。又閏秒数はシステム時刻の修正データを示すものである。従って、ＣＤＭＡシステム用の携帯電話端末装置に於いては、
ＳＹＳ ＴＩＭ−（ＬＰ ＳＥＣ×１２．５）＋（ＬＴＭ ＯＦＦ×２２５００）
によって時刻を算出することが可能となる。このような演算は、プロセッサ１（図１参照）によって容易に実行することができる。
【００３１】
そこで、本発明の第２の実施の形態は、時刻情報を報知しないＡＭＰＳシステムと、時刻情報を報知するＣＤＭＡシステムとの両方がサービスを提供している地域に於いて、何れのサービスシステムに対しても適用できるように切替えて使用するデュアルモードの携帯電話端末装置に於いて、ＡＭＰＳモードを選択した場合でも、自動的に時刻設定を可能とするものである。この場合、無線部９は、ＡＭＰＳシステムとＣＤＭＡシステムとの何れに対しても送受信できるようにＡＭＰＳ用の変復調部とＣＤＭＡシステム用の変復調部とを切替える構成を有するものである。
【００３２】
図８は本発明の第２の実施の形態のフローチャートを示し、前述のデュアルモードの携帯電話端末装置に適用した場合の時刻設定について示す。パワーオン、即ち、携帯電話端末装置の電源スイッチのオンにより、捕捉システム選択処理（Ｂ１）、即ち、ＡＭＰＳシステムか又はＣＭＡシステムに適用するかの選択、或いはそれらのシステム内のＡシステムかＢシステムかの選択等を行い、次に、ＡＭＰＳモードを選択したか又はＣＤＭＡモードを選択したかを判定し（Ｂ２）、ＡＭＰＳモードを選択した場合は、システム捕捉、即ち、ＡＭＰＳシステムの基地局の報知情報を受信する為のチャネル・スキャンを行う（Ｂ３）。
【００３３】
このチャネル・スキャンによりシステム捕捉ができたか否かを判定し（Ｂ４）、捕捉できない時はステップ（Ｂ１）に移行し、捕捉できた時は、リアルタイムクロック部（ＲＴＣ）がリセットされたか否を判定し（Ｂ５）、リアルタイムクロック部（ＲＴＣ）が正常に動作を開始していない為にリセットされている場合は、その時点で捕捉したシステムのチャネル番号や識別番号等の情報を退避させる（Ｂ６）。又リセットされていない場合は、待ち受け状態に移行するか又は時刻補正（Ｂ１３）の処理を行って待ち受け状態に移行する。この時刻補正（Ｂ１３）は、図６のステップ（Ａ２）〜（Ａ６）の処理と同一の処理を含むものである。
【００３４】
リアルタイムクロック部（ＲＴＣ）がリセットされ、捕捉システムの情報を退避した後、ＣＤＭＡシステムに切替えてシステムサーチを行い（Ｂ７）、システム捕捉か否か、即ち、ＣＤＭＡシステムの基地局の報知情報を受信できたか否かを判定し（Ｂ８）、捕捉できない時は、ＣＤＭＡシステムの圏外であると判断して、ステップ（Ｂ１）に於ける選択処理がＡＭＰＳモードを選択したか否かを判定し（Ｂ９）、ＡＭＰＳモードの場合は、ステップ（Ｂ１３）を介して又は直接的に待ち受け状態に移行する。又ステップ（Ｂ９）に於いて、ＡＭＰＳモードでない場合、ステップ（Ｂ１）に移行する。
【００３５】
又ステップ（Ｂ８）に於いてシステム捕捉ができた場合は、ステップ（Ｂ１）に於ける選択処理がＡＭＰＳモード選択か否かを判定し（Ｂ１０）、ＡＭＰＳモードでない場合は、ＣＤＭＡモードと判定して待ち受け状態に移行する。又ＡＭＰＳモードの場合は、リアルタイムクロック部（ＲＴＣ）を設定する（Ｂ１１）。即ち、図７に示すメッセージ・フォーマットのシステムタイムＳＹＳ ＴＩＭＥと、閏秒数ＬＰ ＳＥＣと、オフセットタイムＬＴＭ ＯＦＦとを受信抽出し、前述の時刻算出式に基づいて時刻を算出して、リアルタイムクロック部（ＲＴＣ）にその時刻を設定する。そして、ステップ（Ｂ６）に於いて退避したシステム情報を復帰させて（Ｂ１２）、ステップ（Ｂ１３）を介して又は直接待ち受け状態に移行する。
【００３６】
従って、デュアルモードの携帯電話端末装置に於いては、現在時刻の設定を行うことなく、ＣＤＭＡシステムの基地局から送信される図７に示すメッセージ・フォーマットのシステムタイムＳＹＳ ＴＩＭＥと、閏秒数ＬＰ ＳＥＣと、オフセットタイムＬＴＭ ＯＦＦとを受信抽出することにより、現在時刻の設定を行い、それ以後は、ＡＭＰＳシステムに於ける例えば図４のシステム識別番号ＳＡＩＤ１を受信抽出し、時差テーブル２Ａを参照することにより、時差補正を行うことができる。
【００３７】
【発明の効果】
以上説明したように、本発明は、時差が生じる地域に移動した場合でも、基地局の識別番号を受信認識できることを利用し、且つ識別番号と標準時からの時差情報とを対応して記憶しておくことにより、移動先の識別番号に対応する時差情報を読出して、時差が生じたか否かを判定して、時差が生じた場合は、時差情報を基に時刻補正を行うことができ、時差が生じるような長距離移動に於いても、携帯電話端末装置の時刻を常に移動先の時刻に自動的に補正することができる利点がある。
【００３８】
又ＡＭＰＣ方式等の時刻情報を報知しないシステムと、ＣＤＭＡ方式等の時刻情報を報知するシステムとが併存してサービスを提供する地域に於いては、携帯電話端末装置のパワーオン時に、時刻情報を報知するシステムを捕捉して時刻情報を受信し、それを基に携帯電話端末装置の時計機能に時刻を設定し、それ以後は、時刻情報を報知しないシステムに切替えても、前述の時刻補正の手段を適用することができるから、携帯電話端末装置の時刻を常にその地域の時刻に自動的に補正することができる利点がある。
【図面の簡単な説明】
【図１】本発明の実施の形態の携帯電話端末装置の説明図である。
【図２】携帯電話サービスシステムの要部説明図である。
【図３】本発明の実施の形態のソフトウェアの概要説明図である。
【図４】システム・パラメータ・オーバヘッド・メッセージの説明図である。
【図５】本発明の実施の形態の時差テーブルの説明図である。
【図６】本発明の第１の実施の形態のフローチャートである。
【図７】ＣＤＭＡシステムに於けるメッセージ・フォーマットの説明図である。
【図８】本発明の第２の実施の形態のフローチャートである。
【符号の説明】
１  プロセッサ（ＣＰＵ）
２  メモリ
２Ａ  時差テーブル
３  表示部
４  入力操作部
５  リアルタイムクロック部（ＲＴＣ）
６  音声信号処理部
７  スピーカー
８  マイクロホン
９  無線部
１０  アンテナ
ＲＧ  レジスタ部
【図１】
0003811874.tif 000002
【図２】
0003811874.tif 000003
【図３】
0003811874.tif 000004
【図４】
0003811874.tif 000005
【図５】
0003811874.tif 000006
【図６】
0003811874.tif 000007
【図７】
0003811874.tif 000008
【図８】
0003811874.tif 000009